(57)【要約】【課題】異なる長さの露出した充電部を覆い隠すことのできる端末キャップ及びこの端末キャップの取り外し方法を提供することを課題とする。【解決手段】電線の端末を嵌入可能に構成されたキャップ本体２と、該キャップ本体２を端末が挿入された電線に固定するための固定手段３とを備え、該固定手段３がキャップ本体２に取り付けられた端末キャップ１であって、前記キャップ本体２は、電線の端末を嵌入可能に構成されるとともに、嵌入された端末を覆い隠すべく先端部が閉塞された内筒部２０と、該内筒部２０をスライド移動可能に内装する外筒部２１とを備え、前記内筒部２０は、外筒部２１に対して先端部から進出可能に構成され、前記キャップ本体２は、内筒部２０の外筒部２１に対する進出量を変化させることで伸縮可能に構成されていることを特徴とする。【選択図】図１
2012157173.tif 000002
【特許請求の範囲】
【請求項１】
電線の端末を嵌入可能に構成されたキャップ本体と、該キャップ本体を端末が挿入された電線に固定するための固定手段とを備え、該固定手段がキャップ本体に取り付けられた端末キャップであって、前記キャップ本体は、電線の端末を嵌入可能に構成されるとともに、嵌入された端末を覆い隠すべく先端部が閉塞された内筒部と、該内筒部をスライド移動可能に内装する外筒部とを備え、前記内筒部は、外筒部に対して先端部から進出可能に構成され、前記キャップ本体は、内筒部の外筒部に対する進出量を変化させることで伸縮可能に構成されていることを特徴とする端末キャップ。
【請求項２】
電線の端末を嵌入可能に構成されたキャップ本体と、該キャップ本体を端末が挿入された電線に固定するための固定手段とを備え、該固定手段がキャップ本体に取り付けられた端末キャップであって、前記キャップ本体は、電線の端末を嵌入可能に構成されるとともに、嵌入された端末を覆い隠すべく先端部が閉塞された内筒部と、蛇腹状に形成された外筒部とを備え、前記内筒部は、基端部側が外筒部の先端部側に固定され、前記キャップ本体は、外筒部を伸縮させることで伸縮可能に構成されていることを特徴とする端末キャップ。
【請求項３】
前記固定手段は、前記内筒部に端末が挿入された電線を把持するための一対の第一把持片と、該第一把持片のそれぞれ先端部に連設された第二把持片と、前記一対の第一把持片のそれぞれ基端部に連設された操作片とを備え、前記一対の第一把持片のそれぞれは、軸部材を介して相互に回動可能に連結されるとともに、付勢手段によって先端部側同士が互いに近接する方向に付勢され、前記一対の操作片を互いに近接する方向に移動させることで該先端部側同士が互いに相反する方向に移動する一方、前記一対の操作片を互いに相反する方向に移動させることで該先端部側同士が互いに近接する方向に移動するように構成されていることを特徴とする請求項１又は２に記載の端末キャップ。
【請求項４】
電線の端末に取り付けられた請求項１乃至３の何れか一項に記載の端末キャップの取外し方法であって、固定手段の電線に対する固定を解除し、該固定手段を内筒部の先端部側に向けて移動させた後、その位置で再度固定手段を電線に固定し、この状態で内筒部を電線の端末から引き抜き、しかる後、固定手段の電線に対する固定を再び解除し、端末キャップを電線から取り外すことを特徴とする端末キャップの取り外し方法。
【発明の詳細な説明】
【技術分野】
【０００１】
本発明は、切断された電線の端末に取り付けられる端末キャップ及びこの端末キャップの取り外し方法に関する。
【背景技術】
【０００２】
従来から、電線を切断し、切断箇所よりも負荷側を停電させた状態で各種作業を行なうことがある。具体的には、電線の張替を行うために、引き留めクランプ間に掛け渡された縁線が切断されることがあり、また、変圧器やカットアウト等の修理を行うために、電線から分岐された引き下げ線が切断されることがある。
【０００３】
切断された電線は、作業が完了すれば、端末同士をスリーブ等を介して電気的に接続することになるため、予め、端末の被覆を剥いて芯線が露出した状態にしておくことがある。そうすると、切断された電線のうち電源側に位置するものは、露出した状態の芯線が充電状態のままとなる。
【０００４】
従って、切断された電線は、そのままでは、端末における露出した充電部が作業者に接触して感電事故を引き起こしたり、周辺の設置物に接触して短絡事故や地絡事故を引き起こしたりすることがある。
【０００５】
そこで、切断された電線の端末における露出した充電部を覆い隠して絶縁を図るための端末キャップが提供されている。かかる端末キャップには、電線の端末を嵌入可能に構成されたものがある（例えば、特許文献１参照）。該端末キャップは、端末が嵌入された電線に強固に固定されるため、端末が嵌入された電線から容易に抜け落ちることを防ぐことができる。
【０００６】
また、上記の端末キャップと異なる種類の端末キャップとしては、電線の端末を挿入可能に構成されたキャップ本体と、該キャップ本体を端末が挿入された電線に固定するための固定手段とを備えているものも提供されている（例えば、非特許文献１参照）。
【先行技術文献】
【特許文献】
【０００７】
【特許文献１】特開平９−２３３６６６号公報
【非特許文献】
【０００８】
【非特許文献１】間接活線用端末キャップ、[online]、[平成２２年１２月１３日検索]、インターネット＜URL:http://www.daito-d.co.jp/Products/ds#005.html＞
【発明の概要】
【発明が解決しようとする課題】
【０００９】
上述のように、切断された電線の端末は、被覆を剥いて芯線が露出した状態にされる。そうすると、露出した充電部は、その長さ（端末の軸芯方向における長さ）が、被覆を剥く量（被覆を剥く長さ）によって異なることになる。さらに言えば、被覆を剥いた芯線に予めスリーブを取り付けておく場合の、このスリーブの長さによっても露出した充電部の長さが変化することになる。
【００１０】
そのため、作業者は、種々の長さの端末キャップを準備しておく必要があり、また、作業を行うにあたって、その中から適した長さの端末キャップを選定する必要があった。
【００１１】
そこで、本発明は、かかる実情に鑑み、異なる長さの露出した充電部を覆い隠すことのできる端末キャップ及びこの端末キャップの取り外し方法を提供することを課題とする。
【課題を解決するための手段】
【００１２】
本発明に係る端末キャップは、電線の端末を嵌入可能に構成されたキャップ本体と、該キャップ本体を端末が挿入された電線に固定するための固定手段とを備え、該固定手段がキャップ本体に取り付けられた端末キャップであって、前記キャップ本体は、電線の端末を嵌入可能に構成されるとともに、嵌入された端末を覆い隠すべく先端部が閉塞された内筒部と、該内筒部をスライド移動可能に内装する外筒部とを備え、前記内筒部は、外筒部に対して先端部から進出可能に構成され、前記キャップ本体は、内筒部の外筒部に対する進出量を変化させることで伸縮可能に構成されていることを特徴とする。
【００１３】
上記構成の端末キャップによれば、外筒部が内筒部をスライド移動可能に内装し、内筒部が外筒部に対して先端部から進出可能に構成されている。すなわち、端末キャップは、キャップ本体が外筒部と内筒部とを相対的にスライドすることで伸縮可能に構成されており、キャップ本体の長さを変化させることができる。
【００１４】
また、端末キャップは、内筒部に電線の端末が嵌入されるため、内筒部が電線の端末に固定されることになる。さらに、端末キャップは、外筒部に取り付けられた固定手段が電線に固定されるため、外筒部が電線に固定された状態になる。これにより、端末キャップは、内筒部と外筒部とが電線に固定された状態になるため、伸縮する方向における長さを適宜調整した状態を維持することができる。
【００１５】
本発明に係る別の端末キャップは、電線の端末を嵌入可能に構成されたキャップ本体と、該キャップ本体を端末が挿入された電線に固定するための固定手段とを備え、該固定手段がキャップ本体に取り付けられた端末キャップであって、前記キャップ本体は、電線の端末を嵌入可能に構成されるとともに、嵌入された端末を覆い隠すべく先端部が閉塞された内筒部と、蛇腹状に形成された外筒部とを備え、前記内筒部は、基端部側が外筒部の先端部側に固定され、前記キャップ本体は、外筒部を伸縮させることで伸縮可能に構成されていることを特徴とする。
【００１６】
上記構成の端末キャップによれば、外筒部が蛇腹状に形成されているため、該外筒部を伸縮させることでキャップ本体の長さを変化させることができる。また、端末キャップは、外筒部を湾曲させることができるため、端末が湾曲した状態であっても容易に取り付けることができる。
【００１７】
さらに、本発明の一態様として、前記固定手段は、前記内筒部に端末が挿入された電線を把持するための一対の第一把持片と、該第一把持片のそれぞれ先端部に連設された第二把持片と、前記一対の第一把持片のそれぞれ基端部に連設された操作片とを備え、前記一対の第一把持片のそれぞれは、軸部材を介して相互に回動可能に連結されるとともに、付勢手段によって先端部側同士が互いに近接する方向に付勢され、前記一対の操作片を互いに近接する方向に移動させることで該先端部側同士が互いに相反する方向に移動する一方、前記一対の操作片を互いに相反する方向に移動させることで該先端部側同士が互いに近接する方向に移動するように構成されていてもよい。
【００１８】
上記構成の端末キャップによれば、操作片同士を互いに近接する方向に移動させることで第一把持片の先端部側同士を離反させることができ、操作片同士を離反する方向に移動させることで第一把持片の先端部側同士を近接させることができる。また、端末キャップは、第一把持片のそれぞれ先端部に第二把持片が連設されているため、第一把持片の先端部の動きに連動して第二把持片も動くことになる。
【００１９】
従って、端末キャップは、第一把持片で内筒部に端末が嵌入された電線を把持するとともに、第二把持片で電線の周辺に配置された設置物を把持することができる。これにより、端末キャップは、作業に適した位置に移動させた状態を維持することができる。
【００２０】
また、電線の端末に取り付けられた上記何れかの端末キャップの取外し方法であって、固定手段の電線に対する固定を解除し、該固定手段を内筒部の先端部側に向けて移動させた後、その位置で再度固定手段を電線に固定し、この状態で内筒部を電線の端末から引き抜き、しかる後、固定手段の電線に対する固定を再び解除し、端末キャップを電線から取り外すことを特徴とする。
【００２１】
上記構成の端末キャップの取り外し方法によれば、外筒部が電線に固定された状態で内筒部を引き抜くことになるため、内筒部が電線の端末から引き抜かれるとともに外筒部も電線から抜けることを防ぐことができる。従って、この方法によれば、内筒部を取り外すことに伴って作業者にとって不安定な状況が発生することを防ぐことができる。
【発明の効果】
【００２２】
以上のように、本発明に係る端末キャップ及びこの端末キャップの取り外し方法によれば、異なる長さの露出した充電部を覆い隠すことができるという優れた効果を奏し得る。
【図面の簡単な説明】
【００２３】
【図１】本発明の第一の実施形態に係る端末キャップを示す図であって、（ａ）は、端末キャップの正面図を示し、（ｂ）は、キャップ本体の正面断面図を示す。
【図２】同実施形態に係る固定手段の側面図を示す。
【図３】同実施形態に係る端末キャップが電線の端末に取り付けられた状態を説明する図であって、（ａ）は、キャップ本体が最も縮められた状態を示し、（ｂ）は、内筒部の一部を外筒部から引き出すことで、キャップ本体が伸ばされた状態を示し、（ｃ）は、キャップ本体が最も伸ばされた状態を示す。
【図４】同実施形態に係る端末キャップの取り外し方法を説明する図であって、（ａ）は、キャップ本体が最も伸ばされた状態で電線の端末に取り付けられた状態を示し、（ｂ）は、外筒部を内筒部の基端部側から先端部側に向けた方向に移動させた状態を示し、（ｃ）は、内筒部を電線の端末から引き抜いた状態を示し、（ｄ）は、端末キャップを電線の端末から完全に取り外した状態を示す。
【図５】本発明の第二の実施形態に係る端末キャップを示す図であって、（ａ）は、端末キャップの正面図を示し、（ｂ）は、内筒部の正面図を示し、（ｃ）は、キャップ本体の正面断面図を示す。
【図６】同実施形態に係る固定手段の側面図を示す。
【図７】本発明の第三の実施形態に係る端末キャップを示す図であって、（ａ）は、端末キャップの正面図を示し、（ｂ）は、キャップ本体の正面断面図を示す。
【図８】同実施形態に係る端末キャップが電線の端末に取り付けられた状態を説明する図であって、（ａ）は、キャップ本体が最も縮められた状態を示し、（ｂ）は、外筒部を伸ばすことで、キャップ本体が伸ばされた状態を示し、（ｃ）は、キャップ本体が最も伸ばされた状態を示す。
【図９】同実施形態に係る端末キャップの取り外し方法を説明する図であって、（ａ）は、外筒部が最も伸ばされた状態で電線の端末に取り付けられた状態を示し、（ｂ）は、外筒部を内筒部の基端部側から先端部側に向けた方向に縮めた状態を示し、（ｃ）は、内筒部を電線の端末から引き抜いた状態を示し、（ｄ）は、端末キャップを電線の端末から完全に取り外した状態を示す。
【発明を実施するための形態】
【００２４】
以下、本発明の第一の実施形態に係る端末キャップについて、添付図面を参照しつつ説明する。
【００２５】
本実施形態に係る端末キャップは、切断された電線の露出した充電部を覆い隠して絶縁を図るためのものである。具体的に説明すると、前記端末キャップは、図１（ａ）に示すように、電線の端末を嵌入可能に構成されたキャップ本体２と、該キャップ本体２を端末が挿入された電線に固定するための固定手段３とを備えている。
【００２６】
そして、前記キャップ本体２は、電線の端末を嵌入可能に構成された内筒部２０と、該内筒部をスライド移動可能に内装する外筒部２１とを備えている。
【００２７】
前記内筒部２０は、図１（ｂ）に示すように、一方向に長手をなして形成された内筒部本体２００を備えている。該内筒部本体２００は、先端部が閉塞されており、内部に電線の端末を嵌入可能な嵌入孔２０１が穿設されている。そして、該嵌入孔２０１は、テーパー状に形成されており、基端部側から先端部側に向けて径が小さくなるようになっている。
【００２８】
また、本実施形態に係る内筒部２０は、前記内筒部本体２００の基端部側の側面に設けられた一対の突起部２０２ａ，２０２ｂと、前記内筒部本体２００の基端部に一体的に設けられた延設部２０３とを備えている。前記突起部２０２ａ，２０２ｂは、後述するガイド溝２１１ａ，２１１ｂに嵌め合わされ、ガイド溝２１１ａ，２１１ｂの形状に沿って移動可能に構成されている。本実施形態では、突起部２０２ａ，２０２ｂが一対設けられており、該突起部２０２ａ，２０２ｂのそれぞれが嵌入孔２０１の中心線を対称軸として互いに相反する位置に設けられている。
【００２９】
前記延設部２０３は、円筒形状に形成されており、内周面によって画定された貫通孔２０４が前記嵌入孔２０１の基端部側と連通するように構成されている。さらに、前記内筒部２０は、スライド移動に伴って、先端部側及び基端部側が外筒部２１から進出可能に構成されている。すなわち、前記内筒部２０は、スライド移動に伴って、内筒部本体２００及び延設部２０３が外筒部から進出可能に構成されている。
【００３０】
前記外筒部２１は、円筒状に形成された外筒部本体２１０と、該外筒部本体２１０の内周面に形成された二条のガイド溝２１１ａ，２１１ｂとを備えている。さらに、本実施形態に係る外筒部２１は、側面における基端部側に、前記固定手段３を取り付けるための取付部材２１２が設けられている。なお、取付部材２１２は、外筒部２１と一体であっても別体であってもよい。
【００３１】
前記外筒部本体２１０は、内周が前記外筒部本体２１０の外周とほぼ同じ形状に形成されている。本実施形態に係るガイド溝２１１ａ，２１１ｂは、外筒部本体２１０の長手方向に沿って形成されている。また、本実施形態に係る前記ガイド溝２１１ａ，２１１ｂは、前記突起部２０２ａ，２０２ｂに合わせて一対設けられるとともに、外筒部本体２１０の内周面が確定する空間の中心線を対称軸として互いに相反する位置に設けられている。
【００３２】
そして、前記固定手段３は、図２に示すように、前記外筒部２１の基端部に連設され、内筒部２０に端末を挿入した電線Ｌを把持するとともに、電線Ｌの周辺に配置された設置物（電線Ｌのうち（例えばピン碍子や耐張碍子によって）固定されていて動かない箇所や、電線Ｌとは別の電線や、腕金等）を把持することができるように構成されている。具体的に説明すると、前記固定手段３は、前記内筒部２０に端末が挿入された電線Ｌを把持するための一対の第一把持片３０ａ，３０ｂと、該第一把持片３０ａ，３０ｂのそれぞれ先端部に連設された一対の第二把持片３１ａ，３１ｂと、前記第一把持片３０ａ，３０ｂのそれぞれ基端部に連設された一対の操作片３２ａ，３２ｂとを備えている。また、前記第一把持片３０ａ，３０ｂのそれぞれは、外筒部２１の取付部材２１２に一端部側が挿入される軸部材３３を介して相互に回動可能に連結されるとともに、付勢手段３４によって先端部側同士が互いに近接する方向に付勢されている。
【００３３】
前記第一把持片３０ａ，３０ｂは、一方向に長手をなして形成された一対の第一把持片本体３００ａ，３００ｂを備え、該第一把持片本体３００ａ，３００ｂ同士が対向するように配置されている。そして、第一把持片本体３００ａ，３００ｂのそれぞれは、互いに対向する面に凹状に設けられ、電線（内筒部に端末を挿入した電線）Ｌを把持可能な第一把持部３０１ａ，３０１ｂが設けられている。
【００３４】
そして、前記第二把持片３１ａ，３１ｂは、一方向に長手をなして形成され、基端部が前記第一把持片３０ａ，３０ｂの先端部に一体的に連設されている。そして、前記第二把持片３１ａ，３１ｂは、一方向に長手をなして形成された一対の第二把持片本体３１０ａ，３１０ｂを備え、該第二把持片本体３１０ａ，３１０ｂ同士が対向するように配置されている。
【００３５】
また、第二把持片本体３１０ａ，３１０ｂのそれぞれは、互いに対向する面に凹状に形成され、電線Ｌの周辺にある設置物を把持可能に構成されている。
【００３６】
前記操作片３２ａ，３２ｂは、一方向に長手をなして形成されており、先端部が前記第一把持片３０ａ，３０ｂの基端部に角度をつけて一体的に連設されている。さらに、前記操作片３２ａ，３２ｂは、それぞれの基端部側を互いに近接する方向に移動させることで前記第一把持片３０ａ，３０ｂの先端部側及び第二把持片３１ａ，３１ｂ同士を互いに相反する方向（離間する方向）に移動させることができるように構成されている。また、前記操作片３２ａ，３２ｂは、それぞれの基端部側を相反する方向（離間する方向）に移動させることで前記第一把持片３０ａ，３０ｂの先端部側及び第二把持片３１ａ，３１ｂを近接する方向に移動させることができるように構成されている。
【００３７】
本実施形態に係る端末キャップ１の説明は、以上であり、露出した端末の充電部に取り付けられた本実施形態に係る端末キャップ１の取り外し方法について説明する。なお、本実施形態に係る端末キャップ１は、切断されただけの端末や、被覆が剥かれることによって芯線が露出した状態になっている端末や、該芯線にスリーブが取り付けられた端末等に取り付けられるが、本実施形態では、被覆が剥かれることによって芯線が露出した状態になっている端末に対して端末キャップ１を取り付けることを前提として説明する。
【００３８】
前記端末は、作業の都度、被覆が剥かれる度合いが異なるため、芯線の露出する軸心方向における長さが異なる。これにより、本実施形態に係る端末キャップ１は、キャップ本体２の長さが露出した芯線の長さに応じて調整された後に、端末に取り付けられる。
【００３９】
具体的に説明すると、前記端末キャップ１は、図３（ａ）に示すように、キャップ本体２が最も縮められた状態で、切断された電線Ｌの端末（芯線Ｃが露出した状態の端末）に取り付けられることがある。また、前記端末キャップ１は、図３（ｂ）に示すように、内筒部の一部を外筒部から引き出すことによって、キャップ本体２が伸ばされた状態で前記端末に取り付けられることもある。さらには、前記端末キャップ１は、図３（ｃ）に示すように、キャップ本体２が最も伸ばされた状態で前記端末に取り付けられることもある。
【００４０】
そして、図４（ａ）に示すように、キャップ本体２が最も伸びた状態で前記端末に取り付けられた端末キャップ１の取り外し方について説明すると、まず、前記操作片３２ａ，３２ｂのそれぞれの基端部側を絶縁ヤットコ等の絶縁遠隔操作具で互いに近接させることで第一把持片３０ａ，３０ｂのそれぞれの先端部側を離間させて、電線Ｌに対する固定（把持）を解除する。このとき、第二把持片３１ａ，３１ｂで前記設置物を把持している場合は、第二把持片３１ａ，３１ｂの設置物に対する固定（把持）も解除される。
【００４１】
上述のように、キャップ本体２が最も伸びた状態になっていると、前記突起部２０２ａ，２０２ｂがガイド溝２１１ａ，２１１ｂの先端部側に位置した状態になっているため、内筒部２０を引き抜き方向（前記内筒部の基端部側から先端部側に向かう方向）に向けて移動させることができない。そのため、第一把持片３０ａ，３０ｂの電線Ｌに対する固定（第二把持片１ａ，３１ｂの設置物に対する固定）を解除した後に、図４（ｂ）に示すように、固定手段３を前記引き抜き方向に向けて移動させる。すなわち、前記外筒部２１を前記引き抜き方向に向けて移動させることにより、内筒部２０を引き抜き方向に向けて移動可能な状態にする。しかる後に、再度第一把持片３０ａ，３０ｂで電線Ｌを把持する。このとき、第二把持片３１ａ，３１ｂについても設置物を把持させてもよい。
【００４２】
そして、内筒部２０の先端部における外筒部２１から進出した部分を掴み、該内筒部２０に対して引き抜き方向に働く力を加えることによって、図４（ｃ）に示すように、内筒部２０を芯線Ｃから取り外す。
【００４３】
しかる後に、固定手段３の電線に対する固定を再び解除し、端末キャップ１を引き抜き方向に向けて移動させることで、図４（ｄ）に示すように、端末キャップ１を電線Ｌ及び芯線Ｃから完全に取り外す。
【００４４】
以上のように、本実施形態に係る端末キャップ１によれば、キャップ本体２の長さを変化させることができるため、異なる長さの芯線Ｃ（露出した充電部）を覆い隠すことができるという優れた効果を奏し得る。
【００４５】
また、本実施形態に係る端末キャップ１の取り外し方法によれば、外筒部２１が固定された状態で内筒部２０を引き抜くため、端末キャップ１が突然電線Ｌから抜けることによって、作業者が不安定な状態になることを防ぐことができる。
【００４６】
次に、本発明の第二の実施形態に係る端末キャップ１’について説明する。なお、本実施形態に係る端末キャップ１’は、上記第一の実施形態と略同等の構成を有しているため、同一の構成については、同一符号、及び同一名称を付して説明を割愛し、第一の実施形態と相違する構成（内筒部２０’、固定手段３’）のみを説明する。
【００４７】
本実施形態に係る内筒部２０’も、図５（ａ）に示すように、外筒部２１にスライド移動可能に内装されている。そして、前記内筒部２０’は、図５（ｂ）及び図５（ｃ）に示すように、延設部２０３に一対の挿通孔２０５ａ，２０５ｂが穿設されている。該挿通孔２０５ａ，２０５ｂは、後述する第一上側把持部３０１ａ’及び第一下側把持部３０１ｂ’を挿通するためのものであり、それぞれ延設部２０３の中心線を対称軸として、相反する位置に穿設されている。
【００４８】
本実施形態に係る固定手段３’は、図６（ａ）に示すように、前記外筒部２１の基端部に連設され、内筒部２０’に端末を挿入した電線Ｌを把持するとともに、電線Ｌの周辺に配置された設置物を把持することができる。具体的に説明すると、前記固定手段３’は、前記内筒部に端末が挿入された電線Ｌを把持するための一対の第一把持片３０ａ，３０ｂと、該第一把持片３０ａ，３０ｂのそれぞれ先端部に連設された一対の第二把持片３１ａ，３１ｂと、前記第一把持片３０ａ，３０ｂのそれぞれ基端部に連設された操作片３２ａ，３２ｂとを備えている。さらに、前記一対の第一把持片３１ａ，３１ｂのそれぞれは、外筒部２１の取付部材２１２に一端部側が挿入される軸部材３３を介して相互に回動可能に連結されるとともに、付勢手段３４によって先端部側同士が互いに近接する方向に付勢されている。
【００４９】
前記第一把持片３０ａ，３０ｂは、一方向に長手をなして形成された一対の第一把持片本体３００ａ，３００ｂを備え、該第一把持片本体３００ａ，３００ｂ同士が対向するように配置されている。そして、第一把持片本体３００ａ，３００ｂ，のそれぞれは、互いに対向する面に電線（内筒部に端末を挿入した電線）Ｌを把持可能な第一把持部３０１ａ’ ，３０１ｂ’が設けられている。本実施形態では、一方の第一把持部（第一上側把持部）３０１ａ’が対面する他方の把持部に向けて突出するように形成されている。そして、他方の第一把持部（第一下側把持部）３０１ｂ’は、第一上側把持部３０１ａ’が突出する方向に向けて凹状に形成されている。さらに、本実施形態に係る固定手段３’は、前記第一上側把持部３０１ａ’及び第一下側把持部３０１ｂ’が前記挿通孔２０５ａ，２０５ｂに挿通されるように構成されている。
【００５０】
そして、前記第二把持片３１ａ，３１ｂは、一方向に長手をなして形成され、基端部が前記第一把持片３０ａ，３０ｂの先端部に一体的に連設されている。そして、該第二把持片本体３１０ａ，３１０ｂのそれぞれは、互いに対向する面に電線Ｌの周辺にある設置物を把持可能な第二把持部３１１ａ’，３１１ｂ’が設けられている。
【００５１】
前記操作片３２ａ，３２ｂは、一方向に長手をなして形成されており、先端部が前記第一把持片３０ａ，３０ｂの基端部に角度をつけて一体的に連設されている。さらに、前記操作片３２ａ，３２ｂは、それぞれの基端部側を互いに近接する方向に移動させることで前記第一把持片３０ａ，３０ｂの先端部側及び第二把持片３１ａ，３１ｂ同士を互いに相反する方向（離間する方向）に移動させることができるように構成されている。また、前記操作片３２ａ，３２ｂは、それぞれの基端部側を相反する方向（離間する方向）に移動させることで前記第一把持片３０ａ，３０ｂの先端部側及び第二把持片３１ａ，３１ｂを近接する方向に移動させることができるように構成されている。
【００５２】
本実施形態に係る端末キャップ１’の説明は、以上である。本実施形態に係る端末キャップ１’の取り付け態様及び取り外し方法については、図３の各図及び図４の各図を用いて上記第一の実施形態で説明した方法と同一の手順となるため、説明を割愛する。
【００５３】
以上のように、本実施形態に係る端末キャップ１’によれば、キャップ本体２の長さを変化させることができるため、異なる長さの露出した充電部を覆い隠すことができるという優れた効果を奏し得る。
【００５４】
また、本実施形態に係る端末キャップ１’の取り外し方法によれば、外筒部２１が固定された状態で内筒部２０’を引き抜くため、端末キャップ１’が突然露出した充電部から抜けることによって、作業者が不安定な状態になることを防ぐことができる。
【００５５】
さらに、上記第一の実施形態では、キャップ本体２を最も縮めた状態で端末の充電部に取り付けた場合、第一把持部３０ａ，３０ｂが、延設部２０３を介して電線を把持していたが、本実施形態では、延設部に挿通孔２０５ａ，２０５ｂが設けられているため、キャップ本体２を最も縮めた状態であっても、第一上側把持部３０１ａ’及び第一下側把持部３０１ｂ’が直接電線を把持することができるようになっている。
【００５６】
次に、本発明の第三の実施形態に係る端末キャップ１’’について説明する。なお、本実施形態に係る端末キャップ１’’は、上記第一の実施形態と略同等の構成を有しているため、同一の構成については、同一符号、及び同一名称を付して説明を割愛し、第一の実施形態と相違する構成（キャップ本体２’’）のみを説明する。
【００５７】
本実施形態に係るキャップ本体２’’は、図７（ａ）及び図７（ｂ）に示すように、電線の端末を嵌入可能に構成されるとともに、嵌入された端末を覆い隠すべく先端部が閉塞された内筒部２０’’と、蛇腹状に形成された外筒部２１’’とを備えている。
【００５８】
前記内筒部２０’’は、一方向に長手をなして形成された内筒部本体２００を備えている。該内筒部本体２００は、先端部が閉塞されており、内部に電線の端末を嵌入可能な嵌入孔２０１が穿設されている。そして、該嵌入孔２０１は、テーパー状に形成されており、基端部側から先端部側に向けて径が小さくなるようになっている。
【００５９】
そして、前記外筒部２１’’は、筒状に形成された外筒部本体２１０’’が蛇腹状に形成されている。これにより、前記外筒部２１’’は、中心線方向で伸縮することができる。さらに、外筒部２１’’の先端部には、前記内筒部２０’’が挿通された状態で固定されている。また、基端部には、前記固定手段３が取り付けられている。そして、外筒部２１’’は、伸縮するに伴って基端部側の開口部から延設部２０３の基端部側を進出させることができるように構成されている。
【００６０】
本実施形態に係る端末キャップ１’’の説明は以上であり、続いて露出した端末の充電部に取り付けられた端末キャップ１’’の取り外し方法について説明する。なお、本実施形態に係る端末キャップ１’’も、上記第一の実施形態に係る端末キャップ１と同様に、切断されただけの端末や、被覆が剥かれることによって芯線が露出した状態になっている端末や、該芯線にスリーブが取り付けられた端末等に取り付けられるが、本実施形態では、被覆が剥かれることによって芯線が露出した状態になっている端末に対して端末キャップ１’’を取り付けることを前提として説明する。
【００６１】
前記端末は、作業の都度、被覆が剥かれる度合いが異なるため、芯線の露出する軸心方向における長さが異なる。これにより、本実施形態に係る端末キャップ１’’は、キャップ本体２’’の長さが露出した芯線の長さに応じて調整された後に、端末に取り付けられる。
【００６２】
具体的には、前記端末キャップ１’’は、図８（ａ）に示すように、キャップ本体２’’が最も縮められた状態で切断された電線Ｌの端末（芯線Ｃが露出した状態の端末）に取り付けられることがある。また、前記端末キャップ１’’は、図８（ｂ）に示すように、内筒部の一部を外筒部から引き出すことによって、キャップ本体２’’が伸ばされた状態で前記端末に取り付けられることもある。さらには、前記端末キャップ１’’は、図８（ｃ）に示すように、キャップ本体２’’が最も伸ばされた状態で前記端末に取り付けられることもある。
【００６３】
そして、図９（ａ）に示すように、キャップ本体２’’が最も伸びた状態で前記端末に取り付けられた端末キャップ１’’の取り外し方について説明すると、まず、操作片３２ａ，３２ｂのそれぞれの基端部側を絶縁ヤットコ等で互いに近接させることで第一把持片３０ａ，３０ｂのそれぞれの先端部側を離間させて、電線Ｌに対する固定（把持）を解除する。このとき、第二把持片３１ａ，３１ｂで前記設置物を把持している場合は、第二把持片３１ａ，３１ｂによる設置物に対する固定（把持）も解除される。
【００６４】
上述のように、キャップ本体２’’が最も伸びた状態になっていると、外筒部２１’’が伸びることができないため、内筒部２０’’を前記引き抜き方向に向けて移動させることができない。そのため、第一把持片３０ａ，３０ｂの電線Ｌに対する固定（第二把持辺１ａ，３１ｂの設置物に対する固定）を解除した後に、図９（ｂ）に示すように、固定手段３を前記引き抜き方向に向けて移動させる。すなわち、前記外筒部２１’’の基端部側を前記引き抜き方向に向けて移動させることによって縮めた状態にすることにより、内筒部２０’’を引き抜き方向に向けて移動可能な状態にする。しかる後に、再度第一把持片３０ａ，３０ｂで電線Ｌを把持する。このとき、第二把持片３１ａ，３１ｂも設置物を把持するようにしてもよい。
【００６５】
そして、内筒部２０’’の先端部を掴み、該内筒部２０’’を引き抜き方向に向けて移動させることによって、図９（ｃ）に示すように、内筒部２０’’を芯線Ｃから取り外す。
【００６６】
しかる後に、固定手段３の電線に対する固定を再び解除し、端末キャップ１’’を引き抜き方向に向けて移動させることで、図９（ｄ）に示すように、端末キャップ１を電線Ｌ及び芯線Ｃから完全に取り外す。
【００６７】
以上のように、本実施形態に係る端末キャップ１’’によれば、キャップ本体２’’の長さを変化させることができるため、異なる長さの露出した充電部を覆い隠すことができるという優れた効果を奏し得る。
【００６８】
また、本実施形態に係る端末キャップ１’’の取り外し方法によれば、外筒部２’’が固定された状態で内筒部２０’’を引き抜くため、端末キャップ１’’が突然電線Ｌ及び芯線Ｃから抜けることによって、作業者が不安定な状態になることを防ぐことができる。
【００６９】
なお、本発明の端末キャップ及びこの端末キャップの取り外し方法は、上記の各実施形態に限定されるものではなく、本発明の要旨を逸脱しない範囲において種々変更を行うことは勿論である。
【００７０】
上記の各実施形態において、電線Ｌの先端部の被覆が剥かれて芯線Ｃが露出したものに端末キャップ１，１’，１’’を取り付けることを前提として説明したが、これに限定されるものではなく、例えば、切断されただけの、被覆が剥かれていない端末に取り付けてもよい。
【００７１】
上記の各実施形態において、電線Ｌの先端部の被覆が剥かれて芯線Ｃが露出したものに端末キャップ１，１’，１’’を取り付けることを前提として説明したが、これに限定されるものではなく、例えば、露出した芯線にスリーブを取り付けた端末に取り付けてもよい。
【００７２】
この場合、端末キャップ１’，１’’ ，１’’’は、キャップ本体２，２’’の長さがスリーブの長さに応じた長さに調整されることになる。
【００７３】
上記の各実施形態において、特に言及しなかったが、第一把持部３０１ａ，３０１ｂ及び３０１ａ’，３０１ｂ’の表面（電線と対向することになる面）に複数の突起を設け、該突起が前記引き抜き方向に傾斜するように構成してもよい。
【００７４】
このようにすれば、前記外筒部に対して引き抜き方向に働く力が働くと、前記突起が電線Ｌに食い込むため、内筒部２０，２０’を引き抜く際に外筒部２１，２１’’が電線Ｌから外れてしまうことをより確実に防ぐことができる。
【００７５】
上記の第一の実施形態及び第二の実施形態において、一対の突起部２０２ａ，２０２ｂ及び二条のガイド溝２１１ａ，２１１ｂが設けられていたが、これに限定されるものではなく、例えば、一つの突起部と、一条のガイド溝を設けるようにしてもよい。
【００７６】
上記の第一の実施形態及び第二の実施形態において、前記ガイド溝２１１ａ，２１１ｂは、直線状に設けられていたが、これに限定されるものではなく、例えば、螺旋状に設けてもよい。このようにした場合、キャップ本体２は、内筒部２０，２０’及び外筒部２１の少なくともいずれか一方を中心線周りで回転させることで伸縮されることになる。
【００７７】
上記の第一の実施形態及び第二の実施形態において、前記キャップ本体２、２は、内筒部２０，２０’と外筒部２１で構成していたが、これに限定されるものではなく、例えば、内筒部２０，２０’と外筒部２１との間に、さらに筒状に形成された中間筒部を介設してもよい。
【００７８】
この場合、前記中間筒部は、例えば、側面に外筒部２１のガイド溝２１１に嵌入可能な突起部が設けられるとともに、内周面に前記内筒部２０に設けられた突起部２０２ａ，２０２ｂを嵌入可能なガイド溝が設けられるようにしてもよい。
【００７９】
上記の第一の実施形態及び第二の実施形態において、前記キャップ体２は、図３（ａ）に示すように、最も縮めた状態において、内筒部２０の先端部が外筒部２１から僅かに進出するように構成されていたが、これに限定されるものではなく、内筒部２０を長尺に形成することによって、キャップ体２が最も縮んだ状態における内筒部２０の進出量を増加させることもできる。
【符号の説明】
【００８０】
１，１’，１’’…端末キャップ、２，２’’…キャップ本体、３，３’…固定手段、２０，２０’、２０’’…内筒部、２１，２１’’…外筒部、３０ａ，３０ｂ…第一把持片、３１ａ，３１ｂ…第二把持片、３２ａ，３２ｂ…操作片、３３…軸部材、３４…付勢手段、２００…内筒部本体、２０１…嵌入孔、２０２ａ，２０２ｂ…突起部、２０３…延設部、２０４…貫通孔、２０５ａ，２０５ｂ…挿通孔、２１０、２１０’’…外筒部本体、２１１ａ，２１１ｂ…ガイド溝、２１２…取付部材、３００ａ，３００ｂ…第一把持片本体、３０１ａ，３０１ｂ，３０１ａ’，３０１ｂ’…第一把持部、３１０ａ，３１０ｂ…第二把持片本体、３１１ａ’，３１１ｂ’…第二把持部、Ｃ…芯線、Ｌ…電線
【図１】
2012157173.tif 000003
【図２】
2012157173.tif 000004
【図３】
2012157173.tif 000005
【図４】
2012157173.tif 000006
【図５】
2012157173.tif 000007
【図６】
2012157173.tif 000008
【図７】
2012157173.tif 000009
【図８】
2012157173.tif 000010
【図９】
2012157173.tif 000011